(57)【要約】【課題】一人でも簡単に作業を行うことのできる小型で取扱いの容易な拡張治具を提供する。【解決手段】水平姿勢以外の姿勢でも正常に作動し、圧力の供給と圧力の解放を行うことができる圧力ポンプ１０と、圧力ポンプ１０の前端部に開閉自在な状態で直結され、端部に拡張リング３を係止する係止部２１ａ，２１ａが形成された一対のアーム２１，２１と、圧力ポンプ１０から供給される圧力によって伸長し、一対のアームを開く方向に拡張するシリンダー部３０とを備え、圧力ポンプ１０から圧力を供給してシリンダー部３０を介して一対のアームを拡張し、その端部に係止された拡張リング３を拡径する。【選択図】　　　図１
2004044314.tif 000002
【特許請求の範囲】
【請求項１】
水平姿勢以外の姿勢でも正常に作動し、圧力の供給と圧力の解放を行うことができる圧力ポンプと、
前記圧力ポンプの前端部に開閉自在な状態で直結され、端部に対象物を係止する係止部が形成された一対のアームと、
前記圧力ポンプから供給される圧力によって伸長し、前記一対のアームを開く方向に拡張するシリンダー部とを備え、
前記圧力ポンプから圧力を供給して前記シリンダー部を介して前記一対のアームを拡張し、その端部に係止された前記対象物を動かすことを特徴とする拡張治具。
【請求項２】
マンホールの周壁に形成した孔部に導管を取付けるための耐震継手を、当該孔部に拡張リングを使用して取付ける際にその拡張リングを拡張する拡張治具であって、
水平姿勢以外の姿勢でも正常に作動し、圧力の供給と圧力の解放を行うことができる圧力ポンプと、
前記圧力ポンプの前端部に開閉自在な状態で直結され、端部に前記拡張リングを係止する係止部が形成された一対のアームと、
前記圧力ポンプから供給される圧力によって伸長し、前記一対のアームを開く方向に拡張するシリンダー部とを備え、
前記圧力ポンプから圧力を供給して前記シリンダー部を介して前記一対のアームを拡張し、その端部に係止された前記拡張リングを拡径することを特徴とする拡張治具。
【請求項３】
前記シリンダー部を、前記一対のアーム間に配置してなることを特徴とする請求項１または２に記載の拡張治具。
【発明の詳細な説明】
【０００１】
【発明の属する技術分野】
本発明は、主として、マンホールの周壁に穿設した孔部に導管を取付けるために、当該孔部に耐震継手を取付ける際に使用する拡張治具に関するものである。
【０００２】
【従来の技術】
例えば、マンホールの周壁に穿設した孔部に、下水管等の導管を取付けるために、当該孔部に耐震継手を取付けるが、この耐震継手を孔部に拡張リングを使用して密着状態で取付けるためにその拡張リングを拡張する拡張治具が使用されている。
【０００３】
従来、この拡張治具としては、図５に示すようなネジ式（特開平１０−１９５９０１号公報）や、図６に示すような油圧式（特開平９−３２９２７７号公報）がある。
ネジ式は、一対の脚部４０を拡張リング３の端部間に係合し、ネジ部４１を回すことによって当該一対の脚部４０を拡げ、これによって拡張リング３を拡径するものである。また、油圧式は、拡張機４３に油圧ジャッキ４４を設け、この油圧ジャッキ４４を耐圧ホース４５を介してオイルポンプ４２に連結し、当該オイルポンプ４２からの油圧によって拡張機４３を拡げ、拡張リング３を拡径するものである。
【０００４】
【発明が解決しようとする課題】
しかしながら、従来のネジ式拡張治具は、ネジ部４１を人力（手動）によって回す必要があるので、多くの労力と時間を要するといった問題がある。
一方、油圧式拡張治具は、オイルポンプ４２を水平に維持する必要があるので、耐震継手の取付位置によっては一人で作業を行うことができないといった問題や、拡張機４３を動かす油圧ジャッキ４４とオイルポンプ４２とを耐圧ホース４５を介して連結するので大型化し、その取り扱いが厄介であるといった問題がある。
【０００５】
そこで、本発明の目的とするところは、一人でも簡単に作業を行うことのできる小型で取扱いの容易な拡張治具を提供することにある。
【０００６】
【課題を解決するための手段】
上記の目的を達成するために、本発明の請求項１に記載の拡張治具は、水平姿勢以外の姿勢でも正常に作動し、圧力の供給と圧力の解放を行うことができる圧力ポンプ（１０）と、その圧力ポンプ（１０）の前端部に開閉自在な状態で直結され、端部に対象物（３）を係止する係止部（２１ａ，２１ａ）が形成された一対のアーム（２１，２１）と、前記圧力ポンプ（１０）から供給される圧力によって伸長し、前記一対のアーム（２１，２１）を開く方向に拡張するシリンダー部（３０）とを備え、
前記圧力ポンプ（１０）から圧力を供給して前記シリンダー部（３０）を介して前記一対のアーム（２１，２１）を拡張し、その端部に係止された前記対象物（３）を動かすことを特徴とする。
【０００７】
また、請求項２に記載の拡張治具は、マンホールの周壁（４）に形成した孔部（５）に導管（６）を取付けるための耐震継手（１）を、当該孔部（５）に拡張リング（３）を使用して取付ける際にその拡張リング（３）を拡張する拡張治具であって、
水平姿勢以外の姿勢でも正常に作動し、圧力の供給と圧力の解放を行うことができる圧力ポンプ（１０）と、その圧力ポンプ（１０）の前端部に開閉自在な状態で直結され、端部に前記拡張リング（３）を係止する係止部（２１ａ，２１ａ）が形成された一対のアーム（２１，２１）と、前記圧力ポンプ（１０）から供給される圧力によって伸長し、前記一対のアーム（２１，２１）を開く方向に拡張するシリンダー部（３０）とを備え、
前記圧力ポンプ（１０）から圧力を供給して前記シリンダー部（３０）を介して前記一対のアーム（２１，２１）を拡張し、その端部に係止された前記拡張リング（３）を拡径することを特徴とする。
【０００８】
さらに、請求項３に記載の拡張治具は、前記シリンダー部（３０）を、前記一対のアーム（２１，２１）間に配置してなることを特徴とする。
【０００９】
なお、括弧内の記号は、図面および後述する発明の実施の形態に記載された対応要素または対応事項を示す。
【００１０】
本発明の請求項１に記載の拡張治具によれば、水平姿勢以外の姿勢でも正常に作動する圧力ポンプに一対のアームを開閉自在に直結しているので、従来のネジ式のように多大な労力を必要とせず、また、従来の油圧式のように水平姿勢を保つことなく、あらゆる姿勢で一人で容易に作業することができる。さらに、圧力ポンプと一対のアームとの間に、従来の油圧式のように耐圧ホースを使用しないので、小型化を図ることができ、その取り扱いが容易である。
【００１１】
また、請求項２に記載の拡張治具によれば、水平姿勢以外の姿勢でも作動する圧力ポンプに一対のアームを直結しているので、少ない労力で、一人で水平姿勢以外の姿勢でも容易に作業を行うことができる。
さらに、圧力ポンプと一対のアームとの間に、従来の油圧式のように耐圧ホースを使用しないので、小型化を図ることができ、その取り扱いが容易である。
また、一対のアームの端部に係止部を形成し、この係止部に拡張リングを係止するので、確実な係止状態を得ることができ、拡張リングを正確かつ迅速に拡径することができる。
【００１２】
さらに、請求項３に記載の拡張治具によれば、請求項１または２に記載の発明の作用効果に加えて、シリンダー部を、一対のアーム間に配置しているので、さらなる小型化を図ることができる。
従って、その取扱いがさらに容易となり、例えば、狭い場所での作業も容易に行うことができる。
【００１３】
【発明の実施の形態】
図１および図２を参照して、本発明の実施形態に係る拡張治具について説明する。図１は拡張治具を示す側面図である。図２は拡張治具を示す正面図であり、（ａ）は一対のアームが収縮した（閉じた）状態を示し、（ｂ）は拡張した状態を示す。
【００１４】
本発明の実施形態に係る拡張治具は、マンホールの周壁４に形成した孔部５に導管６を取付けるための耐震継手１を、当該孔部５に拡張リング３を使用して密着状態で取付ける際に、その拡張リング３を拡張する拡張治具であって、主に油圧ポンプ１０、一対のアーム２１，２１、バネ材２２、及びおよびシリンダー部３０とで構成される。
【００１５】
油圧ポンプ１０は、前端側部に油圧の解放を行える圧力解放部１３を有するポンプ本体１１の前端上部に、油圧を供給するためのハンドル棒１２の前端部を回動自在に設け、かつ、水平姿勢以外の姿勢でも正常に作動すべく構成されたもので、本実施形態では、いわゆるユニバーサルポンプ（（株）大阪ジャッキ製）と称されるものを使用している。
【００１６】
一対のアーム２１，２１は、油圧ポンプ１０の前端部に耐圧ホースを介することなく直結されている。より具体的には、一対のアーム２１，２１の各上端部が油圧ポンプ１０の前端部に設けられた支持部２３に開閉自在な状態で軸２０，２０を支点として軸止されている。
そして、一対のアーム２１，２１の下端部には、係止部となるアーム凸部２１ａ，２１ａが形成されている。このアーム凸部２１ａ，２１ａは、耐震継手１の環状拡張リング３の両端部に形成されているリング凹部３ａ，３ａに係止させるものである。なお、一対のアーム２１，２１側に凹部を形成し、それに係止させられる凸部を拡張リング３側に形成するようにしてもよい。
【００１７】
バネ材２２は、一対のアーム２１，２１間に架設された弦巻状のバネ材であり、一対のアーム２１，２１を収縮する（閉じる）方向に付勢している。なお、一対のアーム２１，２１を収縮する（閉じる）方向に付勢するものであれば、バネ材の形状は特に限定されるものではなく、板バネ等であってもよい。
【００１８】
そして、シリンダー部３０は、筒状のシリンダー本体３１とその中を摺動するロッド３２とで構成され、一対のアーム２１，２１間に設けており、油圧ポンプ１０からの油圧によって伸長して当該一対のアーム２１，２１を開く方向に押し拡げ、その上端部の軸２０，２０を支点として拡張する。
【００１９】
このように構成された拡張治具は、次のようにして使用する。図３及び図４を参照して説明する。まず、マンホールの周壁４に形成した孔部５に、ゴム製で円筒状の継手本体２と、その内周面前端部に設けられた拡張リング３とからなる耐震継手１を所定位置まで挿入する（図３（ａ））。この際、正確な位置決めと斜め取付けを防止するために位置決め治具（図示せず）を使用する。
【００２０】
次に、拡張リング３に形成されたリング凹部３ａ，３ａに一対のアーム２１，２１に形成されたアーム凸部２１ａ，２１ａを係止させる。この状態から、油圧ポンプ１０のハンドル棒１２を押して回動し、油圧ポンプ１０からシリンダー部３０に油圧を供給し、シリンダー部３０を伸長させて一対のアーム２１，２１を拡張する。アーム２１，２１の拡張によって、拡張リング３が拡径して継手本体２を孔部５の内周面に密接する（図３（ｂ））。このときの継手本体２の位置を図４では点線で示した。なお、拡張リング３には、拡張リング３が拡径した状態をそのまま維持することができる爪機構が設けられているので、拡張治具を外しても拡径した状態はそのまま維持される。これにかえて、拡張リング３が拡径した切欠部の間にストッパーとしてくさび片を挿入して拡径した状態を維持するようにしてもよい。
【００２１】
この状態で、ポンプ本体１１の圧力解放部１３を開いて油圧を解放する。これによって、シリンダー部３０および一対のアーム２１，２１をバネ材２２の引張力によって元の状態まで収縮させた後、当該拡張治具を取外す。そして、拡張リング３をネジ止めして固定した後、継手本体２を反転してマンホールの外側に取出す（図３（ｃ））。最後に、導管６を取付け、ホースバンド７で締結して、この作業を完了する（図３（ｄ））。このときの継手本体２の位置を図４では実線で示した。
【００２２】
以上のように、本実施形態に係る拡張治具は、油圧ポンプ１０を使用して一対のアーム２１，２１を拡張するので、多くの労力を必要としない。
従って、容易にかつ短時間で耐震継手１の拡張リング３を拡径することができる。
また、この油圧ポンプ１０は、水平姿勢以外の姿勢でも正常に作動し、かつ、この油圧ポンプ１０には一対のアーム２１，２１を直結しているので、耐震継手１の取付位置に関係なく、一人でもあらゆる姿勢で容易に作業を行うことができる。
【００２３】
さらに、油圧ポンプ１０と一対のアーム２１，２１との間に、耐圧ホースを使用しないので、小型化を図ることができ、その取り扱いが容易である。また、一対のアーム２１，２１の下端部に凸部２１ａ，２１ａを形成し、この凸部２１ａ，２１ａを拡張リング３の凹部３ａ，３ａに係止しているので、拡張リング３を正確かつ迅速に拡径することができる。またさらに、シリンダー部３０を、一対のアーム２１，２１間に配置して、より小型化を図っているので、その取扱いがさらに容易であり、狭い場所での作業や、マンホールの周壁４に形成した孔部５の大きさが小さい場合の作業を簡単に行うことができる。
【００２４】
なお、本発明の実施形態では、拡張治具を、マンホールの孔部５に取付けられる耐震継手１の拡張リング３を拡張する場合に使用した例を示したが、これに限定されることなく、一対のアーム２１，２１の端部に係止された対象物を一対のアーム２１，２１の拡張により動かすようなものであれば適用可能である。
拡張治具であって
また、本発明の実施形態では、圧力ポンプの一実施例として油圧ポンプを使用した例のみを示したが、これに限定されることなく、空圧ポンプや水圧ポンプも適用可能である。
【００２５】
【発明の効果】
本発明の請求項１に記載の拡張治具によれば、水平姿勢以外の姿勢でも正常に作動する圧力ポンプに一対のアームを直結しているので、少ない労力で、かつ、あらゆる姿勢で一人で容易に作業することができる。さらに、圧力ポンプと一対のアームとの間に、耐圧ホースを使用しないので、小型化を図ることができ、その取り扱いが容易である。
【００２６】
また、請求項２に記載の拡張治具によれば、水平姿勢以外の姿勢でも作動する圧力ポンプに一対のアームを直結しているので、少ない労力で、一人で水平姿勢以外の姿勢でも容易に作業を行うことができる。
さらに、圧力ポンプと一対のアームとの間に、従来の油圧式のように耐圧ホースを使用しないので、小型化を図ることができ、その取り扱いが容易である。
また、一対のアームの端部に係止部を形成し、この係止部に拡張リングを係止するので、確実な係止状態を得ることができ、拡張リングを正確かつ迅速に拡径することができる。
【００２７】
さらに、請求項３に記載の拡張治具によれば、請求項１または２に記載の発明の作用効果に加えて、シリンダー部を、一対のアーム間に配置しているので、さらなる小型化を図ることができ、例えば、狭い場所での作業も容易に行うことができる。
【図面の簡単な説明】
【図１】本発明の実施形態に係る拡張治具を示す側面図である。
【図２】図１に示す拡張治具の正面図であり、（ａ）は一対のアームが収縮した状態を示し、（ｂ）は拡張した状態を示す正面図である。
【図３】図１および図２に示す拡張治具の使用状態を示す斜視図である。
【図４】耐震継手及び導管が取付けられた状態を示す部分断面図である。
【図５】従来例に係るネジ式拡張治具を示す側面図である。
【図６】従来例に係る油圧式拡張治具を示す側面図である。
【符号の説明】
１　　耐震継手
２　　継手本体
３　　拡張リング
３ａ　リング凹部
４　　マンホールの周壁
５　　孔部
６　　導管
７　　ホースバンド
１０　　油圧ポンプ
１１　　ポンプ本体
１２　　ハンドル棒
１３　　圧力解放部
２０　　軸
２１　　アーム
２１ａ　アーム凸部
２２　　バネ材
２３　　支持部
３０　　シリンダー部
３１　　シリンダー本体
３２　　ロッド
４０　　脚部
４１　　ネジ部
４２　　オイルポンプ
４３　　拡張機
４４　　油圧ジャッキ
４５　　耐圧ホース
【図１】
2004044314.tif 000003
【図２】
2004044314.tif 000004
【図３】
2004044314.tif 000005
【図４】
2004044314.tif 000006
【図５】
2004044314.tif 000007
【図６】
2004044314.tif 000008